(57)【特許請求の範囲】
【請求項１】
遊技盤の前面に取付けられて、遊技盤の盤面に発射された遊技球が入球可能な入球口と、該入球口への入球を検出するための入球検出センサを有する遊技球入球装置において、
遊技球入球装置には、遊技盤の前面に取付けるベース部と、
該ベース部と交差し、ベース部よりも前方へ突出するように設けられ、遊技盤の裏面側から入球検出センサを挿入せしめてセンサを保持する筒状のセンサ保持部と、
センサ保持部の後端のセンサ挿入口のまわりに設けられて、センサの後退を制限してセンサの後方からの引き抜きを防止するセンサ引き抜き防止手段と、
センサ保持部の前端に前方へ向けて開口し、センサを前方へ引き出して取外し可能となすセンサ取外し口と、
該センサ取外し口を塞ぐように着脱可能に設けられ、通常、センサ取外し口を塞いでセンサの前方への引き出しを制限するセンサ取外し制限手段と、を具備し、
且つ前記センサ取外し制限手段は、前記センサ保持部の前端の前記センサ取外し口を塞ぐ蓋部と、
該蓋部から後方へ延出して前記センサ保持部の外側面に沿って延びるとともに前記ベース部を貫通して遊技盤の裏面側に至る脚部と、
該脚部の脚端を前記センサ保持部の後端に係脱可能に係合せしめる係合部と、を具備し、
遊技盤の裏面側から前記センサ保持部の後端と前記係合部との係合を解除することにより前記センサ取外し制限手段を取外すようになしたことを特徴とする遊技球入球装置。
【請求項２】
遊技盤の前面に取付けられて、遊技盤の盤面に発射された遊技球が入球可能な入球口と、該入球口への入球を検出するための入球検出センサを有する遊技球入球装置において、
遊技球入球装置には、遊技盤に取付けるベース部と、
遊技盤の裏面側から入球検出センサを挿入せしめてセンサを保持する筒状のセンサ保持部と、
センサ保持部の後端のセンサ挿入口のまわりに設けられて、センサの後退を制限してセンサの後方からの引き抜きを防止するセンサ引き抜き防止手段と、
センサ保持部の前端に前方へ向けて開口し、センサを前方へ引き出して取外し可能となすセンサ取外し口と、
該センサ取外し口に設けられ、遊技盤の前面からの入球検出センサの挿入を禁止する挿入禁止部と、
前記センサ取外し口を塞ぐように着脱可能に設けられ、通常、センサ取外し口を塞いでセンサの前方への引き出しを制限するセンサ取外し制限手段と、を具備することを特徴とする遊技球入球装置。
【発明の詳細な説明】
【技術分野】
【０００１】
本発明は、センサにより入球口への入球を検出する遊技球入球装置に関する。
【背景技術】
【０００２】
従来の弾球遊技機であるパチンコ機では遊技盤の前面に始動口や大入賞口など様々な遊技球入球装置が設けられ、これら入球装置の入賞口に遊技球を入球させることにより、賞球を払出したり、当否判定の抽選を実行させたりしている。この入賞口への入賞を検出するための検出センサには近接センサを用いている。一般に近接センサは長方形の厚肉平板形状をなし、前側に遊技球を通過せしめる入球口を有する。遊技球の検出センサは入球装置への取付けやメンテナンスの関係上、入球装置が設置された遊技盤の背面側から入球装置の後方へ向けて開口するセンサ保持部に係脱可能に挿入することで取付けるように構成している（下記特許文献１，２参照）。
【０００３】
尚、特許文献１では、センサ保持部（ホルダ）に挿入された検出センサの遊技盤の裏面にはみ出している部分をカバー部材で覆う構成が記載され、特許文献２には、複数の検出センサを組付ける際に、先取付手段と後取付手段とを設け、先取付手段に先にセンサを取付けるとともに、該センサの脱着を制限するように後取付手段を組付け、これに他のセンサを取付ける構成が記載されている。
【先行技術文献】
【特許文献】
【０００４】
【特許文献１】特開２００４−５７７１２号公報
【特許文献２】特開２００５−２１３４２号公報
【発明の概要】
【発明が解決しようとする課題】
【０００５】
ところでパチンコ機に対する不正行為として、電波発信機により不正電波を発信して検出センサを誤作動させて、偽の入賞を生起させる行為がある。これに対して、遊技機メーカーや遊技店では前記不正な電波により作動し難いセンサを用いて誤作動を防止している。しかしながら、組付けやメンテナンス性の観点から遊技盤の裏面でセンサを着脱する従来の構成では、悪質な遊技者により遊技盤を支持する前枠が不正に開かれて遊技盤の裏面が露出されると、センサを電波に弱い不正なセンサに容易にすり替えられるおそれがある。
【０００６】
そこで本発明は上記事情に鑑み、不正な遊技球検出センサのすり替えを困難にして不正行為を防止する遊技球入球装置を提供することを課題としてなされたものである。
【課題を解決するための手段】
【０００７】
請求項１に記載の発明は、遊技盤の前面に取付けられて、遊技盤の盤面に発射された遊技球が入球可能な入球口と、該入球口への入球を検出するための入球検出センサを有する遊技球入球装置において、
遊技球入球装置には、遊技盤の前面に取付けるベース部と、
該ベース部と交差し、ベース部よりも前方へ突出するように設けられ、遊技盤の裏面側から入球検出センサを挿入せしめてセンサを保持する筒状のセンサ保持部と、
センサ保持部の後端のセンサ挿入口のまわりに設けられて、センサの後退を制限してセンサの後方からの引き抜きを防止するセンサ引き抜き防止手段と、
センサ保持部の前端に前方へ向けて開口し、センサを前方へ引き出して取外し可能となすセンサ取外し口と、
該センサ取外し口を塞ぐように着脱可能に設けられ、通常、センサ取外し口を塞いでセンサの前方への引き出しを制限するセンサ取外し制限手段と、を具備し、
且つ前記センサ取外し制限手段は、前記センサ保持部の前端の前記センサ取外し口を塞ぐ蓋部と、
該蓋部から後方へ延出して前記センサ保持部の外側面に沿って延びるとともに前記ベース部を貫通して遊技盤の裏面側に至る脚部と、
該脚部の脚端を前記センサ保持部の後端に係脱可能に係合せしめる係合部と、を具備し、
遊技盤の裏面側から前記センサ保持部の後端と前記係合部との係合を解除することにより前記センサ取外し制限手段を取外すようになした。
【０００８】
これによれば、センサを遊技盤の裏面側からセンサ保持部に挿入して入球装置に取付けることができる。また取付けたセンサはセンサ引き抜き防止手段の制限により遊技盤の裏面への引き抜きが阻止される。更にセンサを交換するには遊技盤の前面側で、センサ保持部の前端開口を塞いだセンサ取外し制限手段を外してセンサを前方へ引く抜く必要がある。従って不正なセンサ交換には、遊技盤の前面を覆うガラス枠を開く行為、センサ取外し制限手段を外す行為、前側へセンサを抜く行為が必要となり、従来のように不正行為を遊技盤の裏面側で行うよりも手間と時間がかかることとなり、その分、不正行為を容易に発見できると言った効果を奏する一方、発見されるリスクが大きくなるため、不正行為を未然に防ぐ効果も発揮される。特に、センサ取外し制限手段を取外すには、前枠を開いて遊技盤の裏面より係合部の係合を解除するとともに、ガラス枠を開いて遊技盤の前側へ引き抜く必要があり、遊技盤の前後両面での作業が必要となる分、大きな手間と時間がかかるので不正行為の発見を容易とする効果および不正行為を未然に防ぐ効果をより高めることができる。
【０００９】
請求項２に記載の発明は、遊技盤の前面に取付けられて、遊技盤の盤面に発射された遊技球が入球可能な入球口と、該入球口への入球を検出するための入球検出センサを有する遊技球入球装置において、
遊技球入球装置には、遊技盤に取付けるベース部と、
遊技盤の裏面側から入球検出センサを挿入せしめてセンサを保持する筒状のセンサ保持部と、
センサ保持部の後端のセンサ挿入口のまわりに設けられて、センサの後退を制限してセンサの後方からの引き抜きを防止するセンサ引き抜き防止手段と、
センサ保持部の前端に前方へ向けて開口し、センサを前方へ引き出して取外し可能となすセンサ取外し口と、
該センサ取外し口に設けられ、遊技盤の前面からの入球検出センサの挿入を禁止する挿入禁止部と、
前記センサ取外し口を塞ぐように着脱可能に設けられ、通常、センサ取外し口を塞いでセンサの前方への引き出しを制限するセンサ取外し制限手段と、を具備する。
【００１０】
これによれば、センサを遊技盤の裏面側からセンサ保持部に挿入して入球装置に取付けることができる。また取付けたセンサはセンサ引き抜き防止手段の制限により遊技盤の裏面への引き抜きが阻止される。更にセンサを交換するには遊技盤の前面側で、センサ保持部の前端開口を塞いだセンサ取外し制限手段を外してセンサを前方へ引く抜く必要がある。従って不正なセンサ交換には、遊技盤の前面を覆うガラス枠を開く行為、センサ取外し制限手段を外す行為、前側へセンサを抜く行為が必要となり、従来のように不正行為を遊技盤の裏面側で行うよりも手間と時間がかかることとなり、その分、不正行為を容易に発見できると言った効果を奏する一方、発見されるリスクが大きくなるため、不正行為を未然に防ぐ効果も発揮される。特に、挿入禁止部により遊技盤の前面側からセンサを挿入できないので遊技盤の裏面より挿入する必要があり、その分、手間がかかるので不正行為の発見を容易とする効果および不正行為を未然に防ぐ効果をより高めることができる。
【図面の簡単な説明】
【００２１】
【図１】本発明の遊技球入球装置が設定され弾球遊技機の遊技盤の正面図である。
【図２】本発明を適用した第１の実施形態に係る遊技球入球装置の正面図である。
【図３】前記遊技球入球装置の分解斜視図である。
【図４】図２のＡ−Ａ線に沿う前記遊技球入球装置の断面図で、入球検出センサを取付ける前の状態を示す図である。
【図５】図４に対応して、入球検出センサを取付けた状態の縦断面図である。
【図６】図５に対応して、入球検出センサを前方へ引き抜いた状態を示す縦断面図である。
【図７】図６に対応して、ハーネスにより入球検出センサの前方へ引き抜きを制限した状態を示す縦断面図である。
【図８】第２の実施形態に係る遊技球入球装置の分解斜視図である。
【図９】前記遊技球入球装置の上面図である。
【図１０】第３の実施形態に係る遊技球入球装置の正面図である。
【図１１】図１０のＢ−Ｂ線に沿う断面図である。
【図１２】図１１に対応して、前方からの入球検出センサの挿入を制限した状態を示す横断面図である
【発明を実施するための最良の形態】
【００２２】
本発明を適用した第１の実施形態を説明する。図１はパチンコ機の遊技盤１の正面を示し、遊技盤１０には外レール１１と内レール１２とによって囲まれた略円形の遊技領域１３が形成されている。遊技領域１３には、その中央部にセンターケース１４が設置されている。センターケース１４は中央に演出図柄表示装置１５（全体の図示は省略）のＬＣＤパネルが配設されている。またセンターケース１４には、周知のものと同様にワープ入口、ワープ樋、ステージなどが設けられている。
【００２３】
センターケース１４の直下には、上下に第１の特別図柄始動口２０と第２の特別図柄始動２７を備えた遊技球入球装置２が設置されている。
【００２４】
センターケース１４の左横には普通図柄の当否抽選を開始する始動ゲート４０が設置されている。
また遊技球入球装置２の左横には複数の一般入賞口５０が設置されている。更に遊技球入球装置２の下方には、開閉板にて開閉される大入賞口６０が設置され、盤面最下部にはアウト口７０が設けられている。
尚、遊技盤１０の遊技領域１３には、多数の遊技釘が植設されている。
【００２５】
遊技盤１０の右下端部にはレール１２の外部に表示装置１６が設けてあり、これにより、第１および第２の特別図柄の表示、第１および第２の特別図柄の保留記憶数の表示、普通図柄の表示および普通図柄の保留記憶の表示を行う。
【００２６】
以下、本発明を適用した遊技球入球装置（単に入球装置という）２の説明をする。図２は入球装置２の正面図、図３は入球検出センサを組付ける際の分解斜視図、図４は図２のＡ―Ａ線に沿う位置で入球検出センサ３を取付ける際の縦断面図、図５は前記Ａ―Ａ線に沿う位置で入球検出センサ３を取付けた状態の縦断面図を示す。
【００２７】
図２に示すように、入球装置２の上部に設けた第１の特別図柄始動口２０は第１の特別図柄の当否抽選を実行する始動口である。第１の特別図柄始動口２０は、遊技球が通過可能な通過ゲート式の入球口（入賞口）であり、常時、遊技球が入球可能な構成で、第１の特別図柄始動口２０に遊技球が入球（通過）すると前記当否抽選用の複数種類の乱数が抽出され、保留記憶される。
【００２８】
入球装置２の下部の第２の特別図柄始動口２７は第２の特別図柄の当否抽選を実行する始動口である。第２の特別図柄始動口２７は左右１対の開閉可能な羽根２７１を有するチューリップ式の普通電動役物で構成され、前記普通図柄の当否抽選で当りとなると左右の羽根２７１が所定の時間開放して入球（入賞）可能となる。そして、第２の特別図柄始動口２７に遊技球が入球すると前記当否抽選用の複数種類の乱数が抽出され、保留記憶される。
【００２９】
前記第１の特別図柄始動口２０は、特別図柄の当否抽選を経て大当り遊技へ移行する可能性があり遊技の結果を大きく左右するもので、しかも常時入球可能な構成であるため、センサを不正に交換する対象とされる。そこで本実施形態では第１の特別図柄始動口２０に本発明の不正防止策を適用した。尚、第１の特別図柄始動口２０と同様に第２の特別図柄始動口２７も遊技の結果を大きく左右するものであるが、普通図柄の当選により入球可能な構成であるのであまり不正行為の対象とされていない。
【００３０】
図３ないし図５に示すように、第１の特別図柄始動口２０の基本構成は、入球装置２のセンサ保持部２２により入球検出センサ３を、遊技盤に対してこれを直交方向に貫通せしめた状態で保持せしめ、遊技球が通過可能な通過口からなるセンサ３の検出部３１を遊技盤の前面側に配置せしめて、実質的に前記センサ３の検出部３１を入球口とするものである。
【００３１】
入球装置２は遊技盤の前面に重ね合わせて入球装置２を遊技盤に取付ける合成樹脂のベース部２１を備え、ベース部２１の上部中央にセンサ保持部２２が一体に成形してある。センサ保持部２２は、長方形の厚肉平板形状のセンサ３に対応してベース部２１を前後方向に貫通する角形筒状に形成してある。ベース部２１よりも前側のセンサ保持部２２の前半部は、その上面部および下面部を切欠いてセンサ３の検出部３１を上方から臨み遊技球の挿通を可能とする構成である。
【００３２】
図４、図５に示すように、センサ保持部２２の後端は開口しており、該後端開口は遊技盤の裏面側からセンサ３を挿入せしめるセンサ挿入口２２１をなす。センサ挿入口２２１にはその開口上縁および開口下縁からそれぞれ開口内方向へ突出して、保持せしめたセンサ３の後退を制限して後方への引き抜きを防ぐ爪（センサ引き抜き防止手段）２３，２３が前記上縁および下縁に一体に形成してある。
【００３３】
上下の爪２３，２３は上下対称である。開口上縁の爪２３は、センサ挿入口２２１内へ向け前斜め下方に傾斜してセンサ３を挿入案内するテーパー面２３１と、前記上縁から下方へ縦壁状に張り出してセンサ保持部２２内に保持せしめたセンサ３の上部後縁に係合してセンサ３の後退を制限する係止部２３２とで断面ほぼ直角三角形状をなす。下縁の爪２３は前斜め上方へ傾斜するテーパー面と上方へ縦壁状をなす係止部とで断面ほぼ直角三角形状をなす。
【００３４】
センサ保持部２２の内部の上下寸法は、センサ３の厚さとほぼ同じかこれよりも若干大きくしてある。これに対して上下の爪２３，２３の先端（頂部）間の上下寸法は、センサ３の厚さよりも若干小さくして両爪２３，２３間にセンサ３を圧入可能な寸法としている。このセンサ保持部２２内の上下寸法と両爪２３，２３間の上下寸法との差により、両爪２３，２３がセンサ３の上部後縁および下部後縁に係合してセンサ３の後退が制限される。
【００３５】
図３ないし図５に示すように、センサ保持部２２の前端は開口しており、該前端開口は遊技盤の前面側から前方へセンサ３を引き出して取外すセンサ取外し口２２２をなす。そしてセンサ取外し口２２２にはこれを着脱可能に塞いでセンサ３の前方への引き出しを制限する蓋部材２４（センサ取外し制限手段）が設けられている。
【００３６】
蓋部材２４は、センサ取外し口２２２をその前方から塞ぐ板状の蓋板部２４１と、その左右両端から後方へ延びる左右１対の脚部２４２，２４２、および両脚部２４２，２４２の脚端から外向きに屈曲する屈曲部２４３とでほぼハット形をなす。
蓋部材２４は、センサ取外し口２２２をその前方より蓋板部２４１で塞ぎ、左右の脚部２４２をセンサ保持部２２の前半部の左右の外側面に沿うように配するとともに、両屈曲部２４３をベース部２１に重ね合わせる。更に両屈曲部２４３の先端がそれぞれ、ベース部２１の左右両端に設けられた遊技盤取付け用の締結穴に臨むように配置する。尚、図例（図３）では屈曲部２４３の先端は締結穴の半周を臨む半円弧状としてあるが、これに限らず、締結穴の全周を臨む穴を形成しても良い。
そして、蓋部材２４は、ベース部２１を遊技盤に前記締結穴を介してネジ締めして取付ける際に、ベース部２１を遊技盤に締結するネジ部材によりベース部２１と一体に取付けられる。
【００３７】
センサ３は、予めセンサ後面に、センサ３と制御装置とを電気的に接続するハーネス３２を接続した状態で、センサ保持部２２のセンサ挿入口２２１へその後方から圧入し、センサ前端が蓋部材２４に当接するまで押し込んでセンサ３の上部後縁および下部後縁をセンサ挿入孔２２１の上下の爪２３，２３に係合せしめて取付けられる。
【００３８】
尚、入球装置２の他の構成として、上下に位置する第１の特別図柄始動口２０と第２の特別図柄始動口２７との間には第１の特別図柄始動口２０通過した遊技球を方向転換させる障害部２８が設けてある。
第２の特別図柄始動口２７は入球した遊技球を遊技盤の裏面側へ取込むタイプの入球口からなり、入球装置２の内部下端位置に入球を検出するセンサ３Ａが設けられている。また入球装置２の内部には、第２の特別図柄始動口２７の羽根２７１を開閉する機構部２７２および駆動用のソレノイド２７３が設けられている。
【００３９】
図６に示すように、第１の特別図柄始動口２０のセンサ３を取外すには、パチンコ機の遊技盤を支持する前枠を開いて遊技盤の裏面側でセンサ３からハーネス３２を外す。センサ３とハーネス３２との接続はロック機構を有するコネクタ３２１によりなされ、コネクタ３２１のロックを解除してセンサ３からハーネス３２が外される。
次に遊技盤の前面を覆うガラス枠を開き、遊技盤の前面側からセンサ保持部２２前端の蓋部材２４を取外す。この場合、脚部２４２の屈曲部２４３をベース部２１と一体に締結したネジ部材を緩める又は外すかして蓋部材２４を取外す。
そしてセンサ３を前方へ引き出すことでセンサ３を取外すことができる。
【００４０】
従って不正にセンサを交換しようとすると、前記前枠を開いても爪２３により係止されたセンサ３は遊技盤の裏面側へ引き抜くことが制限されるので、前記のように、前枠およびガラス枠の開放、遊技盤の前面側での蓋部材２４の取外し、センサ３の前方への引き抜き、更には不正センサを取付けると言った手間と時間がかかる上、ガラス枠を開いて遊技盤の前面側で行う不正行為は目立つこととなり、遊技店側が容易に発見できる。また不正行為を行う遊技者にしてみれば発見されるリスクが高いのでセンサが遊技盤の裏面へ引き抜けないと判った時点で不正行為を中止することとなり、不正行為を防止する効果を奏する。
【００４１】
また図７に示すように、ハーネスの長さをセンサ３に接続した状態で、センサ３を前方へ引き抜こうとしてもこれを阻止する長さとすることが好ましい。即ち、センサ３を前方へ引き抜こうとしても、ハーネス３２が張ってそのテンションによりセンサ３の前方移動を阻止する。これによれば、前記遊技盤の前面側での不正行為の手間に加えて更に遊技盤の裏面側でセンサ３からハーネス３２を外す手間がかかるのでより不正行為に時間を要することとなり、不正行為の発見および防止効果を高めることができる。
【００４２】
次に図８、図９に基いて本発明を適用した第２の実施形態の入球装置２Ａを説明する。入球装置２Ａの基本構成は前記第１の実施形態の入球装置のそれとほぼ同じで、相違点を中心に本実施形態の説明を行う。尚、図において、同一部材は同一符号で示す。
両者の相違点は、第１の実施形態の入球装置では、蓋部材を遊技盤の前面側に着脱可能に取付ける構成としているのに対して、本実施形態の入球装置２Ａでは、蓋部材２４Ａを遊技盤の裏面側（ベース部２１の裏面側）で着脱可能に取付ける構成としている。
【００４３】
入球装置２のセンサ保持部２２にはその左右の外側面にそれぞれ、各外側面の前後方向全長に渡って左右１対の溝部２２４が形成してある。左右の溝部２２４は前後中間位置でベース部２１を貫通するように形成してある。
【００４４】
センサ保持部２２の前端のセンサ取外し口２２を塞ぐ蓋部材２４Ａは、蓋板部２４１と、その左右両側から後方へ延び、前記センサ保持部２２の左右の外側面の溝部２２４に沿って挿入してベース部２１を貫通可能な左右一対の脚部２４２，２４２とでほぼコ字形に形成してある。そして両脚部２４２の先端にはそれぞれ、溝部２２４を貫通してセンサ保持部２２の後縁に係脱可能に係合する断面ほぼ直角三角形状の係合爪（係合部）２４４が設けてある。
【００４５】
蓋部材２４Ａは、センサ保持部２２の前方より左右の脚部２４２，２４２をそれぞれセンサ保持部２２の左右の溝部２２４，２２４に挿入し、後方へ押し込んで、蓋板部２４１でセンサ保持部２２のセンサ取外し口２２２を塞ぐとともに、両脚部２４２，２４２の脚端の係合爪２４４，２４４をそれぞれセンサ保持部２２の左右の側部後縁に係脱可能に係合せしめて取付けられる。
そしてセンサ保持部２２には後方からセンサ３を圧入し、センサ前端が蓋部材２４Ａに当接するまで押し込んでセンサ３の後縁をセンサ保持部２２後端のセンサ挿入口２２１の上下の爪２３，２３に係合せしめてセンサ３が取付けられる。
【００４６】
これによれば、不正にセンサ交換をするに当たって、蓋部材２４Ａを取外すには、必ず前枠を開いて遊技盤の裏面側で係合爪２４４，２４４の係合を解除し、次にガラス枠を開いて遊技盤の前面側で蓋部材２４Ａを前方へ引き抜かなければならず、この蓋部材２４Ａを取外す遊技盤の前後両面での作業と遊技盤前面側でのセンサ交換とが相まって不正行為に更に大きな手間と時間がかかることとなる。よって、不正行為の発見および防止効果をより高めることができる。
【００４７】
図１０ないし図１２に基いて本発明を適用した第３の実施形態の入球装置２Ｂを説明する。図１０に示すように入球装置２Ｂは、第１の実施形態のそれと同様の基本構造を備え、上下に第１および第２の特別図柄始動口２０，２７を有し、かつ第１の特別図柄始動口２０に遊技盤の前面側で着脱可能な蓋部材２４を有するものである。以下、第１の実施形態との相違点を中心に本入球装置２Ｂを説明する。
【００４８】
ところで、遊技球を検出するセンサには、センサ保持部への表裏方向および前後方向の誤挿入を防止する構成のものがある。この種の逆挿し防止センサは、例えばセンサ前端の一方の隅角を切欠いて切欠き傾斜面が形成されている。これに対して、センサ保持部には前端の隅角に前記切欠き傾斜面に対応する傾斜突出部が設けられ、誤ってセンサを逆向きに挿入したときに、前記傾斜突出部にセンサの他方の隅角が突き当たって取付けを不可能とすることがなされる。本実施形態ではこの逆挿し防止センサを利用してセンサの不正交換を防止するものである。
【００４９】
図１１および図１２は共に図１０のＢ−Ｂ線に沿う水平断面を示すので、図１1はセンサを保持した状態を示し、図１２はセンサを引き抜いた状態を示す。両図に示すように、センサ３Ｂは、センサ前端の一方の隅角（図の左下）を切欠いてセンサ前端に向けて漸次横幅を狭幅とする切欠き傾斜面３５が形成されている。
一方、センサ保持部２２には、前端のセンサ取外し口２２２の一方の開口側縁に、前側へ向けて開口横幅を漸次狭幅とするように開口内へ突出する傾斜突出部２５が設けられている。
【００５０】
センサ保持部２２は、その左右方向の横幅寸法がセンサ３Ｂの一般部の横幅寸法とほぼ同じが若干大きくしてある。一方、センサ取外し口２２２の横幅寸法はセンサ３Ｂの一般部のそれより若干狭くしてある。
センサ保持部２２には後方からセンサ３Ｂを圧入し、センサ前端の切欠き傾斜面３５が傾斜突出部２５に当接し、センサ前端面が蓋部材２４に当接するまで押し込んでセンサ３Ｂの後縁をセンサ保持部２２後端のセンサ挿入口２２１の上下の爪２３，２３に係合せしめてセンサ３が取付けられる。
そして蓋部材２４を取外し、センサ３を前方へ引き出すことでセンサ３Ｂを取外す。この場合、センサ３Ｂを強く引き出すことで傾斜突出部２５が傾斜案内面となってセンサ３Ｂの取外しが可能である。
【００５１】
本実施形態によれば、前記第１の実施形態と同様な作用効果が発揮される上、傾斜突出部２５によりセンサ保持部２２前端のセンサ取外し口２２２の横幅寸法がセンサ３Ｂの一般部の横幅寸法より小さいため、センサ引き出しに大きな力を必要とすること、傾斜突出部２５が挿入禁止部となってセンサ３Ｂを遊技盤の前面柄側からセンサ保持部２２へ挿入することが不可能で、前枠を開いてセンサ３Ｂを遊技盤の裏面からセンサ保持部２２へ挿入することが必要となり、この分、センサの不正な交換に更に大きな手間と時間がかかり、不正行為の発見および防止効果をより高めることができる。
【００５２】
尚、本発明は前記各実施形態に限定されるものではなく、本発明の要旨を逸脱しない範囲でさまざまに実施できることは勿論である。例えば、前記第２の実施形態の構成に、前記第３の実施形態のセンサの切欠き傾斜面とセンサ取外し口の傾斜突出部を設ける構成としてもよい。
【符号の説明】
【００５３】
１０  遊技盤
２，２Ａ，２Ｂ  遊技球入球装置
２０  第１の特別図柄始動口（入球口）
２１  ベース部
２２  センサ保持部
２２１  センサ挿入口
２２２  センサ取外し口
２３  爪（センサ引き抜き防止手段）
２３１  テーパー部
２３２  係止部
２４  蓋部材（センサ取外し制限手段）
２４１  蓋部
２４２  脚部
２４３  屈曲部（脚端）
２４４  係合爪（係合部）
２５  傾斜突出部（挿入禁止部）
３，３Ｂ  入球検出センサ
３１  ハーネス
【図１】
0005945662.tif 000002
【図２】
0005945662.tif 000003
【図３】
0005945662.tif 000004
【図４】
0005945662.tif 000005
【図５】
0005945662.tif 000006
【図６】
0005945662.tif 000007
【図７】
0005945662.tif 000008
【図８】
0005945662.tif 000009
【図９】
0005945662.tif 000010
【図１０】
0005945662.tif 000011
【図１１】
0005945662.tif 000012
【図１２】
0005945662.tif 000013